【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
音声通話を処理し前記音声通話と関連された音声通話情報を管理する音声通話管理部、移動電話交換網によって交換される文字メッセージを処理し、前記文字メッセージに関する文字メッセージ情報を管理する文字メッセージ管理部及びプロセッサを含むモバイル端末で前記音声通話情報及び文字メッセージ情報を統合的に管理するためのユーザインターフェースを提供するために、
前記音声通話管理部及び前記文字メッセージ管理部にアクセスして前記音声通話情報及び前記文字メッセージ情報を照会し、
前記音声通話情報及び文字メッセージ情報を予め定義されたメッセージブロックフォーマットに従って編集して統合メッセージ情報を生成し、
前記統合メッセージ情報を含むメッセージブロックを生成し、
前記メッセージブロックを前記音声通話情報及び文字メッセージ情報に含まれた受信及び発信時刻情報によって時系列的に配列して第１メッセージ管理ユーザインターフェースに表示する処理を実行するように前記プロセッサを制御するインストラクションを含むことを特徴とするコンピューターで読み取り可能な記録媒体。
【請求項２】
第１領域に表示されたメッセージブロックのうち、一つを選択するユーザ入力を受信し、
前記選択されたメッセージブロックに対応する音声通話または文字メッセージの相手を識別し、
前記識別された相手が受信者または発信者である音声通話情報及び文字メッセージ情報を照会し、
前記照会された音声通話情報及び文字メッセージ情報を所定の対話情報フォーマットに従って編集して対話情報を生成し、
前記生成された対話情報を視覚化し、
前記視覚化された対話情報を、前記対話情報に対応する音声通話及び文字メッセージの受信時刻及び発信時刻によって時系列的に対話形に配列した第２グラフィックインターフェースを生成し、
前記第１メッセージ管理ユーザインターフェースを第２メッセージ管理ユーザインターフェースに転換して前記モバイル端末の表示装置に表示する処理を実行するように、前記プロセッサを制御するインストラクションをさらに含むことを特徴とする請求項１に記載のコンピューターで読み取り可能な記録媒体。
【請求項３】
前記第１メッセージ管理ユーザインターフェース及び第２メッセージ管理ユーザインターフェースは、メモ作成機能を活性化するグラフィックユーザインターフェースを生成する処理を実行するように前記プロセッサを制御するインストラクションをさらに含むことを特徴とする請求項２に記載のコンピューターで読み取り可能な記録媒体。
【請求項４】
前記第１メッセージ管理ユーザインターフェースに提供された前記グラフィックユーザインターフェースを選択するユーザ入力に応答して、メモアプリケーションにアクセスし、
前記メモアプリケーションから提供されるメモ作成ユーザインターフェースを前記第１
メッセージ管理ユーザインターフェース上に提供し、
前記メモアプリケーションを通して作成されたメモを保存し、前記メモの内容を含むメモオブジェクトを生成し、
前記生成されたメモオブジェクトを前記第１メッセージ管理ユーザインターフェースに追加する処理を実行するように前記プロセッサを制御するインストラクションをさらに含むことを特徴とする請求項３に記載のコンピューターで読み取り可能な記録媒体。
【請求項５】
前記第２メッセージ管理ユーザインターフェースに提供された前記グラフィックユーザインターフェースを選択するユーザ入力に応答して、メモアプリケーションにアクセスし、
前記メモアプリケーションから提供されるメモ作成ユーザインターフェースを前記第２メッセージ管理ユーザインターフェース上に提供し、
前記メモアプリケーションを通して作成されたメモを前記第２メッセージ管理ユーザインターフェースの対話相手と連係して保存し前記メモの内容を含むメモオブジェクトを生成し、
前記生成されたメモオブジェクトを前記第２メッセージ管理ユーザインターフェースに追加する処理を実行するように前記プロセッサを制御するインストラクションをさらに含むことを特徴とする請求項３に記載のコンピューターで読み取り可能な記録媒体。
【請求項６】
少なくとも一つの常用句の入力のための短縮入力手段を前記メモ作成ユーザインターフェースに生成する処理を実行するように前記プロセッサを制御するインストラクションをさらに含むことを特徴とする請求項４または５に記載のコンピューターで読み取り可能な記録媒体。
【請求項７】
前記音声通話管理部から照会された音声通話情報に通話接続失敗項目が含まれているか判定し、
通話接続失敗項目を含む音声通話情報が検知されると、前記メモアプリケーションにアクセスして予め定められた内容を有するメモを自動に作成し、
前記作成されたメモを、通話接続失敗項目を含む音声通話の相手情報と関連して保存し、前記メモの内容を含むメモオブジェクトを生成する処理を実行するように前記プロセッサを制御するインストラクションをさらに含むことを特徴とする請求項５に記載のコンピューターで読み取り可能な記録媒体。
【請求項８】
日程情報管理アプリケーションによって生成された日程情報の少なくとも一部が提供される第１イベントパネルを生成して前記第１メッセージ管理ユーザインターフェースに提供する処理を実行するように前記プロセッサを制御するインストラクションをさらに含むことを特徴とする請求項２に記載のコンピューターで読み取り可能な記録媒体。
【請求項９】
前記日程情報管理アプリケーションによって生成された複数の日程情報を照会し、
前記複数の日程情報それぞれに対して、日程要約情報を生成し、
生成された日程要約情報を所定の規則によって視覚化して日程カードを生成し、
前記生成された日程カードを前記第１イベントパネルに表示する処理を実行するように前記プロセッサを制御するインストラクションをさらに含むことを特徴とする請求項８に記載のコンピューターで読み取り可能な記録媒体。
【請求項１０】
日程情報アプリケーションによって生成された日程情報の少なくとも一部が提供される第２イベントパネルを生成して前記第２メッセージ管理ユーザインターフェースに提供する処理を実行するように前記プロセッサを制御するインストラクションをさらに含むことを特徴とする請求項８に記載のコンピューターで読み取り可能な記録媒体。
【請求項１１】
日程情報管理アプリケーションによって生成された複数の日程情報を照会し、
前記第２メッセージ管理ユーザインターフェースの対話相手と関連した日程情報を検索し、
前記第２メッセージ管理ユーザインターフェースの対話相手と関連した日程情報に対して、日程要約情報を生成し、
生成された日程要約情報を所定の規則によって視覚化して日程カードを生成し、
前記生成された日程カードを前記第２イベントパネルに表示する処理を実行するように前記プロセッサを制御するインストラクションをさらに含むことを特徴とする請求項１０に記載のコンピューターで読み取り可能な記録媒体。
【請求項１２】
メモアプリケーションによって作成されたメモ情報のアップデートの有無を照会し、
アップデートされたと照会されたメモ情報を読み込み、
前記読み込んだメモ情報をメモカード情報フォーマットに従って編集してメモ要約情報を生成し、
前記メモ要約情報を所定の規則によって視覚化してメモカードを生成し、
前記生成されたメモカードを前記第１イベントパネルに表示する処理を実行するように前記プロセッサを制御するインストラクションをさらに含むことを特徴とする請求項８に記載のコンピューターで読み取り可能な記録媒体。
【請求項１３】
メモアプリケーションによって作成され前記第２メッセージ管理ユーザインターフェースの対話相手と関連されたメモ情報のアップデートの有無を照会し、
アップデートされたと照会されたメモ情報を読み込んで、
前記読み込んだメモ情報をメモカード情報フォーマットに従って編集してメモ要約情報を生成し、
前記メモ要約情報を所定の規則によって視覚化してメモカードを生成し、
前記生成されたメモカードを前記第２イベントパネルに表示する処理を実行するように前記プロセッサを制御するインストラクションをさらに含むことを特徴とする請求項１０に記載のコンピューターで読み取り可能な記録媒体。
【請求項１４】
受信文字メッセージ情報または前記統合メッセージ情報に基づいて特定類型の文字メッセージが受信されたか判定し、
前記特定類型を有する文字メッセージを読み込んで、
前記特定類型を有するメッセージの内容のうちメッセージカードを構成するに必要な情報を抽出し、
前記抽出した情報をメッセージカード情報フォーマットに定義された形式に従って編集してメッセージ要約情報を生成し、
前記メッセージ要約情報を所定の規則によって視覚化して前記メッセージ要約情報を含むメッセージカードを生成し、
前記メッセージカードを前記第１イベントパネルに表示する処理を実行するように前記プロセッサを制御するインストラクションをさらに含むことを特徴とする請求項８に記載のコンピューターで読み取り可能な記録媒体。
【請求項１５】
前記文字メッセージ管理部から照会された受信文字メッセージ情報が認証機関から伝送した認証コードを含んでいるか判別し、
認証コード入力窓と、前記認証コード入力窓に入力された文字列を複写する機能を実行するためのグラフィックユーザインターフェースを含む認証コード複写インターフェースを生成し、
認証機関から伝送した認証コードを含む受信文字メッセージ情報に対して、認証コードに該当する文字列を抽出し、
前記抽出された文字列を前記認証コード入力窓に挿入し、前記認証コード複写インター
フェースを前記モバイル端末の表示装置を通じて表示する処理を実行するように前記プロセッサを制御するインストラクションをさらに含むことを特徴とする請求項２に記載のコンピューターで読み取り可能な記録媒体。
【請求項１６】
前記文字メッセージ管理部から照会された文字メッセージ情報に含まれた命令語を識別し、
前記識別された命令語によって定義された処理を実行し、
前記処理による結果を前記モバイル端末の表示装置を通じて表示する処理を実行するように前記プロセッサを制御するインストラクションをさらに含むことを特徴とする請求項２に記載のコンピューターで読み取り可能な記録媒体。
【請求項１７】
前記処理によって、返信用ユーザインターフェースが生成された場合、
前記返信用ユーザインターフェースからユーザの返信入力を受信し、
前記ユーザの返信入力に対応する返信文字メッセージを自動に作成し、
前記作成された返信文字メッセージを、前記文字メッセージ管理部を通じて前記文字メッセージの発信者に伝送する処理を実行するように前記プロセッサを制御するインストラクションをさらに含むことを特徴とする請求項１６に記載のコンピューターで読み取り可能な記録媒体。
【請求項１８】
前記ユーザの返信入力に対応する返信文字メッセージを自動に作成する処理は、前記文字メッセージの発信者の端末によって処理される命令語をコーディングする処理によって実行されることを特徴とする請求項１７に記載のコンピューターで読み取り可能な記録媒体。